(57)【要約】【課題】  尿素水溶液タンクに対する補充用タンクを用いた尿素水溶液の補充作業を容易に行うことができるようにする。【解決手段】  旋回フレーム５の前部位置に設けられた上側収容ケース１６内には、リンク機構２０を用いて上側収容ケース１６内と上側収容ケース１６の前方の外部との間で移動可能なタンク台２３を有する補充用タンク移動装置１９が設けられている。補充用の尿素水溶液を貯えた補充用タンク３０は、補充用タンク移動装置１９のタンク台２３に設けられている。【選択図】  図４
2020045749.tif 000002
【特許請求の範囲】
【請求項１】
前，後方向に自走可能な下部走行体と、前記下部走行体上に旋回可能に設けられた上部旋回体と、前記上部旋回体に俯仰動可能に設けられたフロント装置とからなり、
前記上部旋回体は、
底板と前記底板上に設けられた左の縦板および右の縦板とを有し前記各縦板の前側位置に前記フロント装置が取り付けられる旋回フレームと、
前記旋回フレームの後側に設けられたエンジンと、
前記旋回フレームの前部位置に設けられた下側収容ケースと、
前記下側収容ケースの上部位置に設けられた上側収容ケースと、
前記下側収容ケースに収容され前記エンジンからの排気ガスを浄化するための尿素水溶液を貯溜する尿素水溶液タンクと、
前記上側収容ケースに収容され補充用の尿素水溶液を貯えた補充用タンクと、
を備えてなる建設機械において、
前記上側収容ケース内には、リンク機構を用いて前記上側収容ケース内と前記上側収容ケースの前方の外部との間で移動可能なタンク台を有する補充用タンク移動装置が設けられ、
前記補充用タンクは、前記補充用タンク移動装置の前記タンク台に設けられていることを特徴とする建設機械。
【請求項２】
前記補充用タンク移動装置の前記タンク台は、前記リンク機構によって前方向または後方向へ平行移動されるリンク側ホルダと、前記リンク側ホルダの前部位置を支点として前方向または後方向へ回動可能に設けられ前記補充用タンクを保持するタンク側ホルダとにより構成されていることを特徴とする請求項１に記載の建設機械。
【請求項３】
前記タンク台には、前記タンク側ホルダが前記リンク側ホルダに対して回動したときの角度位置を固定するロック機構が設けられていることを特徴とする請求項２に記載の建設機械。
【請求項４】
前記旋回フレームを構成する前記左，右の縦板の前端部位には、前記フロント装置を取り付けるためのフロント装置取付部が設けられ、
前記フロント装置取付部の左，右方向の一側位置には、オペレータが乗り込むキャブが前記旋回フレーム上に設けられ、
前記フロント装置取付部の左，右方向の他側位置には、前記下側収容ケースと前記上側収容ケースが設けられていることを特徴とする請求項１に記載の建設機械。
【発明の詳細な説明】
【技術分野】
【０００１】
本発明は、例えば、排気ガスの浄化に用いられる尿素水溶液を貯えるための尿素水溶液タンクが設けられた油圧ショベル等の建設機械に関する。
【背景技術】
【０００２】
一般に、建設機械の代表例である油圧ショベルは、前，後方向に自走可能な下部走行体と、下部走行体上に旋回可能に設けられた上部旋回体と、上部旋回体に俯仰動可能に設けられたフロント装置とによって構成されている。
【０００３】
上部旋回体は、底板と底板上に設けられた左の縦板および右の縦板とを有し各縦板の前側位置にフロント装置が取り付けられる旋回フレームと、旋回フレームの後側に設けられたエンジンとを備えている。
【０００４】
油圧ショベルのエンジンには、一般的にディーゼルエンジンが用いられている。このディーゼルエンジンは、窒素酸化物（以下、ＮＯｘという）等を多く排出する。そこで、ディーゼルエンジンの排気ガスを浄化するための後処理装置として、ＮＯｘを浄化するためのＮＯｘ浄化装置が設けられている。このＮＯｘ浄化装置は、例えばエンジンの排気管に設けられ排気ガス中のＮＯｘを除去する尿素選択還元触媒と、還元剤としての尿素水溶液を貯える尿素水溶液タンクと、尿素水溶液タンク内の尿素水溶液を尿素選択還元触媒の上流側に噴射する尿素水噴射弁とを含んで構成されている。
【０００５】
ここで、旋回フレームには、前部位置に下側収容ケースが設けられ、この下側収容ケースの上部位置には、上側収容ケースが設けられている。下側収容ケースには、排気ガスを浄化するための尿素水溶液を貯溜する尿素水溶液タンクが収容されている。一方、上側収容ケースには、補充用の尿素水溶液を貯えた補充用タンクが収容されている（例えば、特許文献１参照）。
【先行技術文献】
【特許文献】
【０００６】
【特許文献１】特開２０１６−２０４８８０号公報
【発明の概要】
【発明が解決しようとする課題】
【０００７】
上述した特許文献１によるものでは、下側収容ケースに収容された尿素水溶液タンクに対して尿素水溶液を補充する場合には、上側収容ケースの開閉カバーを開いて内部の補充用タンクを取り出す。そして、補充用タンクを取り出したら、この補充用タンクを抱えつつ傾けることにより、下側収容ケース内の尿素水溶液タンクに尿素水溶液を補充することができる。
【０００８】
しかし、補充用タンクは重い上に、上部旋回体上は平坦ではなく、無理な姿勢での補充作業が考えられるため、尿素水溶液タンクへの尿素水溶液の補充作業に手間を要してしまうという問題がある。
【０００９】
本発明は上述した従来技術の問題に鑑みなされたもので、本発明の目的は、尿素水溶液タンクに対する補充用タンクを用いた尿素水溶液の補充作業を容易に行うことができるようにした建設機械を提供することにある。
【課題を解決するための手段】
【００１０】
本発明による建設機械は、前，後方向に自走可能な下部走行体と、前記下部走行体上に旋回可能に設けられた上部旋回体と、前記上部旋回体に俯仰動可能に設けられたフロント装置とからなり、前記上部旋回体は、底板と前記底板上に設けられた左の縦板および右の縦板とを有し前記各縦板の前側位置に前記フロント装置が取り付けられる旋回フレームと、前記旋回フレームの後側に設けられたエンジンと、前記旋回フレームの前部位置に設けられた下側収容ケースと、前記下側収容ケースの上部位置に設けられた上側収容ケースと、前記下側収容ケースに収容され前記エンジンからの排気ガスを浄化するための尿素水溶液を貯溜する尿素水溶液タンクと、前記上側収容ケースに収容され補充用の尿素水溶液を貯えた補充用タンクと、を備えている。
【００１１】
本発明の特徴は、前記上側収容ケース内には、リンク機構を用いて前記上側収容ケース内と前記上側収容ケースの前方の外部との間で移動可能なタンク台を有する補充用タンク移動装置が設けられ、前記補充用タンクは、前記補充用タンク移動装置の前記タンク台に設けられていることにある。
【発明の効果】
【００１２】
本発明によれば、尿素水溶液タンクに対する補充用タンクを用いた尿素水溶液の補充作業を容易に行うことができる。
【図面の簡単な説明】
【００１３】
【図１】本発明の実施の形態に適用される油圧ショベルを示す正面図である。
【図２】旋回フレーム上にエンジン、燃料タンク、作動油タンク、下側収容ケース、上側収容ケース等を搭載した状態を示す平面図である。
【図３】旋回フレームの右前部、下側収容ケースおよび上側収容ケースを右前側から見た要部拡大の斜視図である。
【図４】旋回フレームの右前部、下側収容ケース、上側収容ケース、尿素水溶液タンク、補充用タンク移動装置および補充用タンクを図２中の矢示IV−IV方向から見た断面図である。
【図５】補充用タンク移動装置および補充用タンクを拡大して示す斜視図である。
【図６】図５中のリンク機構とタンク台のリンク側ホルダとを示す斜視図である。
【図７】図５中のタンク台のタンク側ホルダを示す斜視図である。
【図８】図５中のストッパ機構を矢示VIII−VIII方向から見た要部拡大の断面図である。
【図９】図５中の補充用タンクを示す斜視図である。
【図１０】補充用タンク移動装置のリンク機構によって補充用タンクと一緒にタンク台を上側収容ケースの外部に移動させた状態を図４と同様位置から見た断面図である。
【図１１】タンク台のタンク側ホルダを前側に回動させて尿素水溶液タンクに尿素水溶液を補充している状態を図４と同様位置から見た断面図である。
【発明を実施するための形態】
【００１４】
以下、本発明の実施の形態に係る建設機械として、クローラ式の油圧ショベルを例に挙げ、図１ないし図１１に従って詳細に説明する。
【００１５】
図１において、油圧ショベル１は建設機械の代表例であり、土砂の掘削作業等に用いられる。この油圧ショベル１は、前，後方向に自走可能なクローラ式の下部走行体２と、下部走行体２上に旋回可能に設けられた上部旋回体３と、上部旋回体３の前側位置に俯仰動可能に設けられたフロント装置４とにより構成されている。上部旋回体３は、後述の旋回フレーム５、エンジン６、下側収容ケース１４、上側収容ケース１６、尿素水溶液タンク１８、補充用タンク移動装置１９を含んで構成されている。
【００１６】
旋回フレーム５は、上部旋回体３の支持構造体を構成している。図２に示すように、旋回フレーム５は、前，後方向に延びる厚肉な底板５Ａと、底板５Ａ上に立設され、左，右方向に所定の間隔をもって前，後方向に延びた左縦板５Ｂ，右縦板５Ｃと、底板５Ａ、各縦板５Ｂ，５Ｃから左，右方向の外向きに延び前，後方向に間隔をもって配置された複数本の張出しビーム５Ｄと、左，右方向の外側に位置して各張出しビーム５Ｄの先端に取り付けられ、前，後方向に延びた左サイドフレーム５Ｅ，右サイドフレーム５Ｆとを含んで構成されている。
【００１７】
左，右の縦板５Ｂ，５Ｃの前端部位には、フロント装置取付部５Ｂ１，５Ｃ１が設けられている。このフロント装置取付部５Ｂ１，５Ｃ１は、フロント装置４のフート部を上，下方向に回動可能に支持するものである。
【００１８】
図４に示すように、旋回フレーム５の前部右側には、右サイドフレーム５Ｆの前端部から左側に延びた前側ビーム５Ｇと、底板５Ａの右側端縁と右サイドフレーム５Ｆとの間を覆ったアンダカバー５Ｈとが設けられている。そして、旋回フレーム５の前部右側は、後述する下側収容ケース１４の底部側を形成している。また、前側ビーム５Ｇには、長方形状の足掛け板５Ｊが前方に突出して設けられている。この足掛け板５Ｊは、エンジン６等のメンテナンスを行う作業者が下部走行体２から上部旋回体３上に上るときに、最初に足を掛ける１段目のステップを構成している。
【００１９】
エンジン６は、旋回フレーム５の後側に搭載されている。エンジン６は、ディーゼルエンジンとして構成され、クランク軸（図示せず）の軸線が左，右方向に延びる横置き状態で旋回フレーム５上に取り付けられている。このエンジン６には、排気ガスを排出するための排気管７が設けられている。
【００２０】
エンジン６は、熱効率が良く耐久性に優れているが、窒素酸化物（ＮＯｘ）等の有害物質が排気ガスと一緒に排出されてしまう。そこで、排気管７には、後述のＮＯｘ浄化装置１３が設けられ、このＮＯｘ浄化装置１３は、収容筒体１３Ａ内に窒素酸化物（ＮＯｘ）を除去する尿素選択還元触媒１３Ｂと酸化触媒１３Ｃとを収容している。
【００２１】
熱交換装置８は、エンジン６の左側に位置して旋回フレーム５上に設けられている。熱交換装置８は、エンジン冷却水を冷却するラジエータ、作動油を冷却するオイルクーラ、エンジン６が吸込む空気を冷却するインタクーラ等により構成されている。一方、油圧ポンプ９は、エンジン６の右側に取り付けられている。油圧ポンプ９は、エンジン６によって駆動されることにより、作動油タンク１１内の作動油を、フロント装置４等に設けられた各種油圧アクチュエータに供給するものである。
【００２２】
図１に示すように、キャブ１０は、旋回フレーム５の前部左側に設けられている。詳しくは、キャブ１０は、旋回フレーム５を構成する左，右の縦板５Ｂ，５Ｃのフロント装置取付部５Ｂ１，５Ｃ１の左，右方向の一側位置、即ち、左縦板５Ｂのフロント装置取付部５Ｂ１の左，右方向の左側に位置して旋回フレーム５上に設けられている。キャブ１０は、油圧ショベル１を運転するためにオペレータが乗り込むもので、内部には、オペレータが着席する運転席、作業用の操作レバー、走行用の操作レバー等（いずれも図示せず）が配設されている。
【００２３】
作動油タンク１１は、エンジン６の前側に位置して旋回フレーム５の右側に設けられている。作動油タンク１１は、内部に作動油を貯えるもので、上，下方向に延びる直方体状の耐圧タンクとして形成されている。
【００２４】
燃料タンク１２は、作動油タンク１１の前側に隣接して旋回フレーム５の右側に設けられている。燃料タンク１２は、直方体状のタンクとして形成され、内部にエンジン６に供給する燃料を貯えるものである。
【００２５】
ＮＯｘ浄化装置１３は、エンジン６の排気管７に設けられている。ＮＯｘ浄化装置１３は、排気ガス中の窒素酸化物（ＮＯｘ）を、還元剤となる尿素水溶液（以下、尿素水という）を用いて浄化するものである。図２に示すように、ＮＯｘ浄化装置１３は、排気管７に接続された収容筒体１３Ａと、収容筒体１３Ａ内の上流側に収容された尿素選択還元触媒１３Ｂと、尿素選択還元触媒１３Ｂの下流側に配置された酸化触媒１３Ｃと、尿素選択還元触媒１３Ｂの上流側に設けられた尿素水噴射弁（図示せず）とにより構成されている。尿素水噴射弁は、供給管路等（図示せず）を介して後述する尿素水溶液タンク１８に接続されている。
【００２６】
ここで、ＮＯｘ浄化装置１３は、尿素水噴射弁により排気ガス中に尿素水を噴射し、尿素選択還元触媒１３Ｂにより尿素水から生成されたアンモニアを用いて排気ガス中のＮＯｘを還元反応させ、水と窒素に分解する。そして、酸化触媒１３Ｃによって排気ガス中のアンモニアを低減させるものである。
【００２７】
図３に示すように、下側収容ケース１４は、旋回フレーム５の前部位置に設けられている。詳しくは、下側収容ケース１４は、旋回フレーム５を構成する左，右の縦板５Ｂ，５Ｃのフロント装置取付部５Ｂ１，５Ｃ１の左，右方向の他側位置、即ち、右縦板５Ｃのフロント装置取付部５Ｃ１の左，右方向の右側に位置して旋回フレーム５上に設けられている。これにより、下側収容ケース１４は、燃料タンク１２の直前となる旋回フレーム５の前部右側に位置して設けられている。図３、図４に示すように、下側収容ケース１４は、旋回フレーム５の左縦板５Ｂ、右側最前部に位置する張出しビーム５Ｄ、右サイドフレーム５Ｆの前側部分、前側ビーム５Ｇに囲まれたアンダカバー５Ｈ上の空間を利用することにより、その内部に大きな収容空間を備えている。
【００２８】
下側収容ケース１４は、旋回フレーム５の前側ビーム５Ｇの前端縁から立ち上がって形成された前面部１４Ａと、燃料タンク１２の前面に近接して右側最前部に位置する張出しビーム５Ｄから立ち上がった後面部１４Ｂと、前面部１４Ａと後面部１４Ｂとを挟むように立設された左側面部１４Ｃおよび右側面部１４Ｄと、各面部１４Ａ〜１４Ｄの上側を閉塞する上面部１４Ｅとにより直方体形状をなした中空構造体として構成されている。
【００２９】
なお、下側収容ケース１４は、後部が燃料タンク１２の前面に接近して対面している場合には、燃料タンク１２の前面が後面部１４Ｂの代わりとなって後側を閉塞するから、後面部１４Ｂを省略することができる。また、下側収容ケース１４の上面部１４Ｅは、後述の下開閉カバー１５と共に、旋回フレーム５の足掛け板５Ｊに続く２段目のステップを構成している。
【００３０】
下側収容ケース１４には、前面部１４Ａと上面部１４Ｅとに亘って左，右方向に広幅な開口１４Ｆが設けられている。この開口１４Ｆには、尿素水溶液タンク１８の給水口１８Ａが配置されている。
【００３１】
下開閉カバー１５は、下側収容ケース１４の一部を構成するもので、開口１４Ｆを覆うように下側収容ケース１４に取り付けられている。下開閉カバー１５は、例えば、左，右方向に長尺な長方形状の板体を前，後方向の中間部に位置して左，右方向に延びる折曲げ線に沿ってＬ字状に折り曲げるように形成されている。下開閉カバー１５は、前側に位置して前面部１４Ａ側を覆う前カバー部１５Ａと、後側に位置して上面部１４Ｅ側を覆う上カバー部１５Ｂとを有している。そして、下開閉カバー１５は、上カバー部１５Ｂの後端部が回動支点となるヒンジ１５Ｃを介して上面部１４Ｅに開閉可能に取り付けられている。
【００３２】
これにより、下開閉カバー１５は、閉じて開口１４Ｆを覆うことで下側収容ケース１４内に土砂や塵挨が入り込むのを防止でき、しかも、施錠することでいたずら等を未然に防ぐことができる。一方、下開閉カバー１５は、開くことにより開口１４Ｆを開放することができ、尿素水溶液タンク１８の給水口１８Ａを外部に露出させることができる。
【００３３】
ここで、下開閉カバー１５は、図４に示す閉塞位置から図１０、図１１に示す全開位置まで、ヒンジ１５Ｃを支点として１８０度回動することができる。そして、下開閉カバー１５は、全開位置に配置されたときに前カバー部１５Ａが立ち上がっており、この立ち上がった前カバー部１５Ａは、その上端部で後述する補充用タンク移動装置１９のタンク台２３を予め定められた高さ位置に支持することができる。
【００３４】
上側収容ケース１６は、下側収容ケース１４の上部位置に設けられている。上側収容ケース１６は、その前，後方向の長さ寸法が、例えば下側収容ケース１４の前，後方向の長さ寸法の半分程度に設定されている。そして、上側収容ケース１６は、下側収容ケース１４の上面部１４Ｅの後側半分に位置して取り付けられている。図４に示すように、上側収容ケース１６の内部には、後述する補充用タンク移動装置１９と一緒に補充用タンク３０を収容することができる。
【００３５】
上側収容ケース１６は、下側収容ケース１４の上面部１４Ｅに対面して取り付けられる長方形状の底板１６Ａと、底板１６Ａの前端縁から立ち上がって形成された前板１６Ｂと、燃料タンク１２の前面に近接して底板１６Ａの後端縁から立ち上がった後板１６Ｃと、底板１６Ａの左端縁から立ち上がった左板１６Ｄと、底板１６Ａの右端縁から立ち上がった右板１６Ｅと、各板１６Ｂ〜１６Ｅの上側を閉塞する上板１６Ｆとにより直方体形状をなした中空構造体として構成されている。
【００３６】
なお、上側収容ケース１６は、各板１６Ｂ〜１６Ｅの下端縁を下側収容ケース１４の上面部１４Ｅに取り付けることにより、底板１６Ａを省略することもできる。また、上側収容ケース１６は、後部が燃料タンク１２の前面に接近して対面している場合には、燃料タンク１２の前面が後板１６Ｃの代わりとなって後側を閉塞するから、後板１６Ｃを省略することができる。
【００３７】
上側収容ケース１６には、前板１６Ｂと上板１６Ｆとに亘って開口１６Ｇが設けられている。この開口１６Ｇは、後述するタンク台２３を出し入れできるように、左，右方向および前，後方向に大きく形成されている。即ち、開口１６Ｇは、前板１６Ｂ側が下開閉カバー１５が全開したときの下開閉カバー１５（前カバー部１５Ａ）の高さ寸法よりも、下側まで開口している。また、開口１６Ｇは、上板１６Ｆ側が後板１６Ｃの近傍まで開口している。
【００３８】
上開閉カバー１７は、上側収容ケース１６の一部を構成するもので、開口１６Ｇを覆うように上側収容ケース１６に取り付けられている。上開閉カバー１７は、開口１６Ｇの前板１６Ｂ側を覆う前カバー部１７Ａと、開口１６Ｇの上板１６Ｆ側を覆う上カバー部１７Ｂとを有している。そして、上開閉カバー１７は、上カバー部１７Ｂの後端部が回動支点となるヒンジ１７Ｃを介して後板１６Ｃに開閉可能に取り付けられている。また、上開閉カバー１７の上カバー部１７Ｂは、下側収容ケース１４の上面部１４Ｅに続く３段目のステップを構成している。なお、上開閉カバー１７は、ヒンジ１７Ｃを介して上板１６Ｆに取り付ける構成としてもよい。
【００３９】
これにより、図４に示すように、上開閉カバー１７は、閉じて開口１６Ｇを覆うことで上側収容ケース１６内に土砂や塵挨が入り込むのを防止でき、しかも、施錠することでいたずら等を未然に防ぐことができる。一方、図１０、図１１に示すように、上開閉カバー１７は、開くことにより開口１６Ｇを開放することができ、タンク台２３と一緒に補充用タンク３０を出し入れすることができる。
【００４０】
尿素水溶液タンク１８は、下側収容ケース１４に収容され、旋回フレーム５のアンダカバー５Ｈ上に取り付けられている。尿素水溶液タンク１８は、エンジン６から排出される排気ガスを浄化するための尿素水溶液を貯溜するものである。このため、尿素水溶液タンク１８は、左，右方向に長尺な密閉容器として形成されている。また、尿素水溶液タンク１８の前側には、下側収容ケース１４内に収められた状態で、下側収容ケース１４の開口１４Ｆに対面する位置に斜め上側に向けて給水口１８Ａが設けられている。この給水口１８Ａには、キャップ１８Ｂが着脱可能に取り付けられている。
【００４１】
次に、本実施の形態の特徴部分となる補充用タンク移動装置１９の構成および動作について説明する。
【００４２】
図４に示すように、補充用タンク移動装置１９は、後述の補充用タンク３０と一緒に、上側収容ケース１６内に設けられている。図５に示すように、補充用タンク移動装置１９は、後述するリンク機構２０とタンク台２３とにより構成されている。補充用タンク移動装置１９は、リンク機構２０を用いて上側収容ケース１６内と上側収容ケース１６の前方の外部との間でタンク台２３を移動させるものである。タンク台２３には、補充用タンク３０が収められている。
【００４３】
リンク機構２０は、上側収容ケース１６の底板１６Ａとタンク台２３との間に設けられている。リンク機構２０は、タンク台２３を、上側収容ケース１６内に収められた収容位置（図４に示す位置）と、上側収容ケース１６から前方に移動された外部位置（図１０、図１１に示す位置）との間で移動させるものである。
【００４４】
図６に示すように、リンク機構２０は、左，右方向に間隔をもって対称に配置された左，右のベース部材２１と、各ベース部材２１に回動可能に取り付けられた２本のリンクアーム２２と、後述するリンク側ホルダ２４の各側板部２４Ｂとにより構成されている。
【００４５】
左，右のベース部材２１は、Ｌ字状に折り曲げられて前，後方向に延びた板体からなり、左，右方向の内側で立ち上がった縦板部２１Ａには、前，後方向に間隔をもって２本のリンクアーム２２の一端が回動可能に取り付けられている。左，右のベース部材２１は、ねじ止め、溶接等の手段を用いて上側収容ケース１６の底板１６Ａの前側寄り位置に取り付けられている。
【００４６】
２本を１組として左，右に配置されたリンクアーム２２は、同じ長さをもった長尺な板体からなり、１本のリンクアーム２２の長さ方向の一端がベース部材２１の縦板部２１Ａの前部位置に前，後方向に回動可能に取り付けられている。また、他の１本のリンクアーム２２の一端は、ベース部材２１の縦板部２１Ａの後部位置に前，後方向に回動可能に取り付けられている。一方、各リンクアーム２２の他端は、縦板部２１Ａに対する前，後方向の取付間隔と同じ間隔寸法をもって、リンク側ホルダ２４の側板部２４Ｂに前，後方向に回動可能に取り付けられている。
【００４７】
これにより、リンク機構２０は、ベース部材２１、２本のリンクアーム２２およびリンク側ホルダ２４の側板部２４Ｂによって平行リンクを構成している。平行リンクとして構成されたリンク機構２０は、タンク台２３のリンク側ホルダ２４を水平状態を保持したまま前方向または後方向へ移動させることができる。
【００４８】
タンク台２３は、リンク機構２０によって上側収容ケース１６内の収容位置と上側収容ケース１６から前方に取り出された外部位置との間で移動されるものである。タンク台２３は、後述のリンク側ホルダ２４、タンク側ホルダ２５およびロック機構２６を含んで構成されている。
【００４９】
リンク側ホルダ２４は、各ベース部材２１の間に配置された長方形状の板体からなる台板部２４Ａと、台板部２４Ａの左，右方向の端縁から屈曲して上側に延びた左，右の側板部２４Ｂとにより形成されている。また、リンク側ホルダ２４には、例えば、右側に位置する側板部２４Ｂの前側部位には、上側に延びて長尺なブラケット２４Ｃが設けられている。このブラケット２４Ｃの上部には、後述するロックピン２８が挿通されるピン挿通孔２４Ｄが設けられている。さらに、台板部２４Ａの前端部には、左，右方向に間隔をもって２個のヒンジ２４Ｅが取り付けられている。
【００５０】
ここで、左，右の側板部２４Ｂは、リンク機構２０の一部を兼ねている。具体的には、各側板部２４Ｂには、前，後方向の中間位置に前側に位置するリンクアーム２２の他端が回動可能に取り付けられ、後部位置に後側に位置するリンクアーム２２の他端が回動可能に取り付けられている。これにより、リンク側ホルダ２４は、リンク機構２０によって前方向または後方向へ平行移動される。
【００５１】
図８に示すように、ピン挿通孔２４Ｄの周囲には、左，右方向の外側となる右側に突出した環状のばね取付筒２４Ｆが設けられている。このばね取付筒２４Ｆは、後述するロック機構２６の引っ張りばね２９の一端が外嵌して取り付けられるものである。
【００５２】
タンク側ホルダ２５は、リンク側ホルダ２４の台板部２４Ａ上に設けられている。タンク側ホルダ２５は、補充用タンク３０を保持するものである。図７に示すように、タンク側ホルダ２５は、リンク側ホルダ２４の台板部２４Ａに対面する長方形状の下板２５Ａと、下板２５Ａの前端縁から上向きに延びた短尺な前板２５Ｂと、下板２５Ａの後端縁から上向きに延びた後板２５Ｃと、下板２５Ａの左端縁から上向きに延びた左板２５Ｄと、下板２５Ａの右端縁から上向きに延びた右板２５Ｅとを備えている。
【００５３】
タンク側ホルダ２５には、前板２５Ｂの上方に位置して左板２５Ｄと右板２５Ｅとに亘って保持バー２５Ｆが設けられている。この保持バー２５Ｆは、図１１に示すように、タンク側ホルダ２５が前側に倒されたときに、内部の補充用タンク３０が落ちないように保持するものである。さらに、タンク側ホルダ２５には、上部の後側に位置して左板２５Ｄと右板２５Ｅとに亘ってグリップ２５Ｇが設けられている。グリップ２５Ｇは、左，右方向に延びる円柱状または円筒状の棒状体からなり、左，右の端部が左板２５Ｄ，右板２５Ｅに取り付けられている。
【００５４】
グリップ２５Ｇは、タンク側ホルダ２５を前側に傾斜させるときに掴むもので、このグリップ２５Ｇを掴むことで尿素水溶液が充填された重い補充用タンク３０を容易に傾けることができる。しかも、保持バー２５Ｆとグリップ２５Ｇは、タンク側ホルダ２５の形状を維持するための補強部材を兼ねている。
【００５５】
前板２５Ｂには、リンク側ホルダ２４の各ヒンジ２４Ｅが溶接手段等を用いて固着されている。これにより、図１１に示すように、タンク側ホルダ２５は、各ヒンジ２４Ｅを支点として前側に回動することができる。
【００５６】
ロック機構２６は、タンク台２３に設けられている。ロック機構２６は、タンク側ホルダ２５がリンク側ホルダ２４に対して回動したときの角度位置を固定するものである。ロック機構２６は、前述したリンク側ホルダ２４のブラケット２４Ｃ、ピン挿通孔２４Ｄと、後述の各係合孔２７Ａ〜２７Ｅ、ロックピン２８、引っ張りばね２９とにより構成されている。
【００５７】
各係合孔２７Ａ〜２７Ｅは、タンク側ホルダ２５の右板２５Ｅに例えば５個設けられている。各係合孔２７Ａ〜２７Ｅは、ヒンジ２４Ｅ（回動軸線）を中心とする円弧に沿うように、互いに間隔をもって左，右方向（板厚方向）に貫通して配置されている。図８に示すように、各係合孔２７Ａ〜２７Ｅの直径寸法は、リンク側ホルダ２４のピン挿通孔２４Ｄの直径寸法よりも小さく、ロックピン２８の先端部２８Ｃの直径寸法よりも僅かに大きく設定されている。
【００５８】
各係合孔２７Ａ〜２７Ｅのうち、最も前側かつ上側に位置する係合孔２７Ａには、図４に示すように、補充用タンク３０が上側収容ケース１６内に収められているときにロックピン２８の先端部２８Ｃが挿着される。これにより、タンク側ホルダ２５のがたつきを抑制することができる。また、各係合孔２７Ｂ〜２７Ｅは、尿素水の補充量によって選択される。係合孔２７Ｂから係合孔２７Ｅに向けて順次尿素水の補充量が多くなる。
【００５９】
図８に示すように、ロックピン２８は、リンク側ホルダ２４のピン挿通孔２４Ｄに係合しつつ、各係合孔２７Ａ〜２７Ｅに選択的に係合するものである。ロックピン２８は、リンク側ホルダ２４のピン挿通孔２４Ｄに挿通されたピン本体２８Ａと、ピン本体２８Ａの基端側を拡径して形成された円盤状の把持部２８Ｂと、ピン本体２８Ａの先端側を縮径して設けられた先端部２８Ｃとにより構成されている。また、ピン本体２８Ａの把持部２８Ｂ寄り位置には、拡径してばね取付部２８Ｄが設けられている。
【００６０】
引っ張りばね２９は、リンク側ホルダ２４のブラケット２４Ｃとロックピン２８との間に設けられている。引っ張りばね２９は、ロックピン２８のピン本体２８Ａの周囲に配置されたコイルばねによって形成されている。引っ張りばね２９の一端は、リンク側ホルダ２４のばね取付筒２４Ｆに外嵌して取り付けられ、他端は、ロックピン２８のばね取付部２８Ｄに外嵌して取り付けられている。これにより、引っ張りばね２９は、ロックピン２８を先端部２８Ｃが各係合孔２７Ａ〜２７Ｅのいずれかに挿入されるように付勢している。
【００６１】
ロック機構２６は、図８中に二点鎖線で示すように、ロックピン２８の把持部２８Ｂを把持し、引っ張りばね２９に抗して引っ張ることにより、先端部２８Ｃを各係合孔２７Ａ〜２７Ｅから引き抜くことができる。この状態では、タンク側ホルダ２５をリンク側ホルダ２４に対して自由に回動させることができる。そして、先端部２８Ｃを各係合孔２７Ａ〜２７Ｅのいずれかに挿入することにより、タンク側ホルダ２５（補充用タンク３０）をリンク側ホルダ２４に対して傾斜した状態で固定することができる。
【００６２】
補充用タンク３０は、補充用の尿素水溶液を貯えるもので、上側収容ケース１６に収容されている。また、補充用タンク３０は、直方体状の外形形状を有する容器として形成され、上部には、補充口（図示せず）と補充口を閉塞するキャップ３０Ａが設けられている。補充用タンク３０の外形寸法は、補充用タンク移動装置１９のタンク側ホルダ２５に収まる寸法に設定されている。
【００６３】
本実施の形態による油圧ショベル１は上述の如き構成を有するもので、次に、その動作について説明する。
【００６４】
キャブ１０に搭乗したオペレータは、エンジン６を始動して油圧ポンプ９を駆動する。この状態で、走行用の操作レバーを操作することにより、下部走行体２を前進または後退させることができる。一方、作業用の操作レバーを操作することにより、フロント装置４を俯仰動させて土砂の掘削作業等を行うことができる。
【００６５】
エンジン６の運転時には、その排気管７から有害物質である窒素酸化物（ＮＯｘ）が排出される。このときに、尿素水溶液タンク１８内の尿素水は、ＮＯｘ浄化装置１３の尿素水噴射弁に供給され、この尿素水噴射弁から排気ガス中に噴射されてアンモニアを生成する。これにより、尿素選択還元触媒１３Ｂでは、窒素酸化物を水と窒素に還元し、酸化触媒１３Ｃを経て外部に排出することにより、窒素酸化物の排出量を低減することができる。
【００６６】
油圧ショベル１は、作業現場で長期間作業する場合が多々ある。この場合には、燃料タンク１２への燃料の補充と共に、尿素水溶液タンク１８への尿素水の補充が行われる。そこで、補充用タンク移動装置１９を用いて尿素水溶液タンク１８に尿素水を補充する作業の一例について説明する。
【００６７】
まず、作業者は、上部旋回体３の右前側に立ち、下側収容ケース１４の下開閉カバー１５を上側に全開位置まで開く。これにより、下側収容ケース１４に収容されている尿素水溶液タンク１８の給水口１８Ａを開口１４Ｆから外部に露出させることができる。
【００６８】
また、上側収容ケース１６の上開閉カバー１７を上側に全開位置まで開く。これにより、上側収容ケース１６に収容されている補充用タンク移動装置１９と補充用タンク３０を外部に露出させることができる。
【００６９】
次に、補充用タンク３０を容易に取り扱うことができるように、上側収容ケース１６から外部に取り出す。この場合には、図１０に示すように、例えば、補充用タンク移動装置１９を利用し、タンク台２３を構成するタンク側ホルダ２５に設けられたグリップ２５Ｇを掴み、このタンク台２３を上側ないし前側に引き寄せる。これにより、平行リンクからなるリンク機構２０によりタンク台２３が水平状態を維持しながら前側に移動される。このときに、タンク台２３の移動先には、全開位置に配置された下開閉カバー１５の前カバー部１５Ａが立ち上がって配置されているから、この立ち上がった前カバー部１５Ａ上にタンク台２３を乗せて位置決めすることができる。
【００７０】
補充用タンク３０が設けられたタンク台２３を上側収容ケース１６の外部に配置したら、図１１に示すように、尿素水溶液タンク１８のキャップ１８Ｂを取り外す。また、補充用タンク３０のキャップ３０Ａを、ホース３１Ａが接続された補充用キャップ３１に付け替え、ホース３１Ａの先端を尿素水溶液タンク１８の給水口１８Ａに挿入する。
【００７１】
次に、作業者は、ロック機構２６を構成するロックピン２８の把持部２８Ｂを把持し、引っ張りばね２９に抗してロックピン２８を引っ張る。これにより、ロックピン２８の先端部２８Ｃを係合孔２７Ａから引き抜く。このタンク側ホルダ２５の自由状態で、タンク側ホルダ２５のグリップ２５Ｇを掴み、ヒンジ２４Ｅを中心にしてタンク側ホルダ２５を前側に倒す。そして、大量の尿素水を補充する場合には、タンク側ホルダ２５を大きく倒し、ロックピン２８の先端部２８Ｃを、下側の係合孔２７Ｅに挿着する。これにより、補充用タンク３０を大きく倒した状態で固定することができるから、補充用タンク３０から手を離した状態でも、尿素水を尿素水溶液タンク１８に規定量を補充することができる。
【００７２】
一方、尿素水溶液タンク１８への尿素水の補充が終了したら、前述した手順と逆の手順を施すことにより、補充用タンク３０と一緒にタンク台２３を上側収容ケース１６内に収容することができる。
【００７３】
かくして、本実施の形態によれば、旋回フレーム５の前部位置に設けられた上側収容ケース１６内には、リンク機構２０を用いて上側収容ケース１６内と上側収容ケース１６の前方の外部との間で移動可能なタンク台２３を有する補充用タンク移動装置１９が設けられている。補充用の尿素水溶液を貯えた補充用タンク３０は、補充用タンク移動装置１９のタンク台２３に設けられている。
【００７４】
従って、下側収容ケース１４に収容された尿素水溶液タンク１８に対して尿素水溶液を補充する場合には、補充用タンク３０を手で持って上側収容ケース１６から取り出したり、補充用タンク３０を抱えて傾けたりすることなく、補充用タンク移動装置１９のリンク機構２０を用いてタンク台２３と一緒に補充用タンク３０を上側収容ケース１６の外部に取り出すことができる。この結果、作業者は、タンク台２３に設けられた補充用タンク３０から尿素水溶液タンク１８に対して尿素水溶液を容易に補充することができる。
【００７５】
補充用タンク移動装置１９のタンク台２３は、リンク機構２０によって前方向または後方向へ平行移動されるリンク側ホルダ２４と、リンク側ホルダ２４の前部位置を支点として前方向または後方向へ回動可能に設けられ補充用タンク３０を保持するタンク側ホルダ２５とにより構成されている。
【００７６】
従って、タンク台２３と一緒に補充用タンク３０を上側収容ケース１６の外部に取り出し、補充用タンク３０と尿素水溶液タンク１８とをホース等を用いて繋いだ後に、リンク側ホルダ２４の前部位置を支点としてタンク側ホルダ２５を補充用タンク３０と一緒に前側に回動させる。これにより、作業者が重い補充用タンク３０を抱えることなく、補充用タンク３０を傾斜させることができ、補充用タンク３０内の尿素水溶液をホースを介して尿素水溶液タンク１８に容易に補充することができる。
【００７７】
タンク台２３には、タンク側ホルダ２５がリンク側ホルダ２４に対して回動したときの角度位置を固定するロック機構２６が設けられている。従って、ロック機構２６は、タンク側ホルダ２５と一緒に補充用タンク３０が回動したときの角度位置を固定することができるから、補充用タンク３０から手を離した状態でも、傾斜角度に応じた規定量の尿素水を尿素水溶液タンク１８に補充することができる。
【００７８】
旋回フレーム５を構成する左，右の縦板５Ｂ，５Ｃの前端部位には、フロント装置４を取り付けるためのフロント装置取付部５Ｂ１，５Ｃ１が設けられている。また、フロント装置取付部５Ｂ１，５Ｃ１の左，右方向の一側位置となる左側位置には、オペレータが乗り込むキャブ１０が旋回フレーム５上に設けられている。一方、フロント装置取付部５Ｂ１，５Ｃ１の左，右方向の他側位置となる右側位置には、下側収容ケース１４と上側収容ケース１６が設けられている。従って、下側収容ケース１４、上側収容ケース１６、尿素水溶液タンク１８、補充用タンク移動装置１９および補充用タンク３０は、旋回フレーム５の前部右側のスペースを利用して設けることができる。
【００７９】
なお、実施の形態では、補充用タンク移動装置１９のタンク台２３には、左，右方向の右側に位置して、タンク側ホルダ２５がリンク側ホルダ２４に対して回動したときの角度位置を固定するロック機構２６を設けた場合を例示している。しかし、本発明はこれに限らず、タンク台２３の左，右方向の左側にロック機構２６を設ける構成としてもよい。
【００８０】
また、実施の形態では、建設機械としてクローラ式の油圧ショベル１を例に挙げて説明したが、本発明はこれに限るものではなく、ホイール式の油圧ショベルに適用してもよい。それ以外にも、油圧クレーン等の他の建設機械にも広く適用することができる。
【符号の説明】
【００８１】
１  油圧ショベル（建設機械）
２  下部走行体
３  上部旋回体
４  フロント装置
５  旋回フレーム
５Ａ  底板
５Ｂ  左縦板
５Ｂ１，５Ｃ１  フロント装置取付部
５Ｃ  右縦板
６  エンジン
１０  キャブ
１４  下側収容ケース
１６  上側収容ケース
１８  尿素水溶液タンク
１９  補充用タンク移動装置
２０  リンク機構
２３  タンク台
２４  リンク側ホルダ
２４Ｂ  側板部（リンク機構）
２４Ｅ  ヒンジ（回動支点）
２５  タンク側ホルダ
２６  ロック機構
３０  補充用タンク
【図１】
2020045749.tif 000003
【図２】
2020045749.tif 000004
【図３】
2020045749.tif 000005
【図４】
2020045749.tif 000006
【図５】
2020045749.tif 000007
【図６】
2020045749.tif 000008
【図７】
2020045749.tif 000009
【図８】
2020045749.tif 000010
【図９】
2020045749.tif 000011
【図１０】
2020045749.tif 000012
【図１１】
2020045749.tif 000013